(57)【特許請求の範囲】
【請求項１】
保管庫本体の開口に出入自在に上下に複数段収納された抽斗を収納位置にロックするための保管庫の抽斗ロック装置であって、
前記各抽斗の外側面に突設されたストッパと、
前記保管庫本体内に縦設され、且つ、前記ストッパと当接して前記抽斗を前記保管庫本体に対し収納位置にロックするロック位置と、前記ストッパを解放して前記抽斗を出し入れ自在にアンロックする前記ロック位置の上方のアンロック位置との間を上下動可能な垂直杆と、
前記保管庫本体に設けられたシリンダ錠と、
前記保管庫本体内に横設され、一端が前記垂直杆の上端部に形成された第１係合窓に係合し、前記シリンダ錠のキー操作に応じて上下動することにより前記垂直杆を前記ロック位置と前記アンロック位置とに切替え移動させる操作杆と、
前記保管庫本体内に設けられ、通電により進退駆動される進退ロッドと該進退ロッドを前進位置および後退位置に係止させる係止機構とを有するラッチングソレノイドと、
前記保管庫本体に回動可能に枢支され、且つ、一端が前記垂直杆に形成された第２係合窓に係合され、該一端が前記進退ロッドの進退に応じて上下動するように他端が前記ラッチングソレノイドの進退ロッドに連結された作動部材とを備え、
前記第１係合窓は前記操作杆の前記一端が下位置にあるとき前記垂直杆が上下にロック・アンロック動作し得るようにその上下幅が設定されており、
前記第２係合窓は前記作動部材の前記一端が下位置にあるとき前記垂直杆が上下にロック・アンロック動作し得るようにその上下幅が設定されていることを特徴とする保管庫の抽斗ロック装置。
【発明の詳細な説明】
【０００１】
【発明の属する技術分野】
この発明はソレノイドとシリンダ錠による抽斗の施解錠が可能な保管庫の抽斗ロック装置に関し、特にソレノイドによる施解錠状態の時又はソレノイドが停電等により動作不可能な時にシリンダ錠にて抽斗の施解錠を行うことができる保管庫の抽斗ロック装置に関する。
【０００２】
【従来の技術】
従来より、ロッカーやキャビネット等の抽斗付きの家具には、シリンダー錠のキー操作によって複数の抽斗を収納位置に施錠したり解錠したりする施解錠装置が用いられている。この種の施解錠装置は家具本体内に縦設した垂直杆を上下動させることにより各抽斗を収納位置にロックするためのストッパー若しくはラッチ爪を動作させて各抽斗を収納位置にロックしたりロック解除したりするラッチ機構を有し、シリンダー錠と垂直杆とをリンク機構を介して連動可能に連結したものとなっている。さらに、オフィスや工場等において多数のロッカーやキャビネット等の抽斗付きの家具を利用する場合に好適な設備として、多数の家具の抽斗ロック装置の施解錠を遠隔操作して一括管理するシステムが提案されている。こうしたシステムは複数の家具にそれぞれ上記垂直杆を上下動させるソレノイドを設け、これらの各家具のソレノイドを一括して動作させることにより、始業時や就業時等における複数の家具の抽斗の施解錠作業を効率化することのできるものである。
【０００３】
実公平８−２３５８号公報には各抽斗をソレノイドにより一斉にロックした状態の下で、シリンダ錠をキー操作することにより、任意の家具の抽斗を個別的に解錠したり施錠したりできるキャビネットの抽斗施解錠装置が開示されている。
【０００４】
上記施解錠装置においてはシリンダー錠と垂直杆とを連結するリンク機構の途中にソレノイドが組み込まれているので、停電等によりソレノイドを駆動できない場合であってもシリンダー錠のキー操作によりソレノイドを介して垂直杆を上下動させることができる。
【０００５】
【発明が解決しようとする課題】
しかしながら、上述した従来の施解錠装置においては、ソレノイドが駆動されているときにシリンダ錠を利用して施解錠を行なうにはソレノイドの駆動力に抗してシリンダ錠を操作する必要があるため、シリンダー錠の操作に力が必要になる。また、垂直杆とシリンダー錠との間にソレノイドが直列状に組み込まれているため、ソレノイドの交換やメンテナンス等の際に、ソレノイドと垂直杆との間のリンク連結を解除するだけでなく、ソレノイドとシリンダー錠との間のリンク連結を解除する必要があるため、ソレノイドの交換やメンテナンス等の作業が面なものになる。
【０００６】
従って、この発明の目的はソレノイドによる施解錠状態の時又はソレノイドが停電等により動作不可能な時にシリンダ錠にて容易に抽斗の施解錠を行うことができるとともに、ソレノイドの交換やメンテナンス等の作業を容易に行うことができる保管庫の抽斗ロック装置を提供することを目的とする。
【０００７】
【課題を解決するための手段】
前記課題を解決するために、請求項１の発明は、保管庫本体の開口に出入自在に上下に複数段収納された抽斗を収納位置にロックするための保管庫の抽斗ロック装置であって、
前記各抽斗の外側面に突設されたストッパと、
前記保管庫本体内に縦設され、且つ、前記ストッパと当接して前記抽斗を前記保管庫本体に対し収納位置にロックするロック位置と、前記ストッパを解放して前記抽斗を出し入れ自在にアンロックする前記ロック位置の上方のアンロック位置との間を上下動可能な垂直杆と、
前記保管庫本体に設けられたシリンダ錠と、
前記保管庫本体内に横設され、一端が前記垂直杆の上端部に形成された第１係合窓に係合し、前記シリンダ錠のキー操作に応じて上下動することにより前記垂直杆を前記ロック位置と前記アンロック位置とに切替え移動させる操作杆と、
前記保管庫本体内に設けられ、通電により進退駆動される進退ロッドと該進退ロッドを前進位置および後退位置に係止させる係止機構とを有するラッチングソレノイドと、
前記保管庫本体に回動可能に枢支され、且つ、一端が前記垂直杆に形成された第２係合窓に係合され、該一端が前記進退ロッドの進退に応じて上下動するように他端が前記ラッチングソレノイドの進退ロッドに連結された作動部材とを備え、
前記第１係合窓は前記操作杆の前記一端が下位置にあるとき前記垂直杆が上下にロック・アンロック動作し得るようにその上下幅が設定されており、
前記第２係合窓は前記作動部材の前記一端が下位置にあるとき前記垂直杆が上下にロック・アンロック動作し得るようにその上下幅が設定されていることを特徴とする。
【０００８】
上記構成によれば、シリンダ錠が施錠状態にあるとき、操作杆は下方位置にあるので、ラッチングソレノイドを駆動して作動部材を上下動させることにより、垂直杆を上下に駆動することができる。したがって、抽斗を収納位置にロック（施錠）しまたはアンロック（解錠）することができる。
【０００９】
また、垂直杆がラッチングソレノイドによってロック位置に保たれているときに垂直杆をシリンダ錠によりアンロック位置へと移動させることができる。このとき、垂直杆はラッチングソレノイドによって駆動される作動部材から独立して上下動するので、シリンダ錠による抽斗の施解錠操作を軽い力で行なうことができる。
【００１０】
さらに、ラッチングソレノイドにより駆動される作動部材はラッチングソレノイドの係止機構に抗して回動操作させることができるので、垂直杆がラッチングソレノイドによってアンロック位置に保たれているときに該作動部材を手操作によりアンロック位置からロック位置へと移動させた後、垂直杆をシリンダ錠によりロック位置へと移動させることができる。したがって、停電時においてもラッチングソレノイドの作動位置に拘わらずシリンダ錠の操作によって抽斗の施解錠を行なうことができる。
【００１１】
さらに、ラッチングソレノイドにより駆動される作動部材とシリンダー錠は互いに並列状態で垂直杆に連結されているので、垂直杆とシリンダー錠との連結状態を解除する必要なくラッチングソレノイドの交換やメンテナンス等の作業を容易に行うことができる。
【００１２】
【発明の実施の形態】
以下、図面を参照して本発明の実施例につき説明する。
【実施例】
図１に示される保管庫群は、一つの制御装置１を備え、タッチセンサを備えた液晶ディスプレー１１への入力により、全ての保管庫の施解錠制御を可能に構成されている。
【００１３】
保管庫２は図１〜図１２に示されるように保管庫本体２１と、同保管庫本体２１の前面開口に出入自在に上下に３段の抽斗２２，２３，２４が収納されている。各抽斗２２，２３，２４の左右の外側面にはストッパ３が一体に設けられている。また、保管庫本体２１に収納された抽斗のストッパ３に対応される保管庫本体２１の左右の内側面には垂直杆４が上下動可能に縦設され、該垂直杆４には垂直杆４が降下してロック位置にあるときに保管庫本体２１に対して収納された抽斗２２〜２４のストッパ３を係止する係止突部４１が設けられている。係止突部４１は垂直杆４が上昇されアンロック位置にあるときにはストッパ３から離脱されるように形成されている。
【００１４】
左右の垂直杆４の上端には四角形状の第１係合窓４２が形成され、左右の第１係合窓４２の間に操作杆５が掛け渡し状に設けられている。操作杆５は保管庫本体２１の前側補強部材２１ａ内に内蔵され、該操作杆５の後側の一部には操作片５１が設けられ、操作杆５の後側は前側補強部材２１ａに係合支持され操作杆５の前側部が上下動可能となっている。操作杆５の左右前側には第１係合窓４２に係合する係合片５２が突設されており、垂直杆４の第１係合窓４２に係合されており、操作杆５を上下に揺動することにより垂直杆４をロック位置およびアンロック位置に移動可能に構成されている。
【００１５】
保管庫本体２１の上部中央の前面にはシリンダ錠６が設けられ、該シリンダ錠６の後端部には、キー操作により回動操作されるクランク杆６１が設けられており、該クランク杆６１は操作杆５の前部中央に開口された操作口５３に貫通状に挿入され、クランク杆６１の回動により操作杆５が上下動されるように構成されている。
【００１６】
保管庫本体２１の左右の内側面には垂直杆４に直交して延びる進退ロッド７１を備えたラッチングソレノイド７が固着されており、左右のラッチングソレノイド７が全く同じ制御を同期して受けるように構成されている。
【００２０】進退ロッド７１はラッチングソレノイド７の内側に設けられ進退ロッド７１を包囲する筒状に形成された駆動用コイル７２に電流の供給を受けることにより進退駆動されるように構成されている。さらに、ラッチングソレノイド７は進退ロッド７１の突出位置および後退位置においてそれぞれ、進退ロッド７１を係止する係止機構７３を備えている。
【００１７】
係止機構７３はラッチングソレノイド７の本体内壁に設けられ駆動用コイル７２の両端部に位置する環状の永久磁石７３ａと、該永久磁石７３ａに対峙するように進退ロッド７１に対して設けられた２つの磁性フランジ７３ｂとを備えている。進退ロッド７１は永久磁石７３ａと磁性フランジ７３ｂとの吸着により、前進時には前進位置に固定され、後退時には後退位置に固定される。したがって進退ロッド７１は駆動用コイル７２に電力の供給を受けずに、移動後の位置を保持できるように構成されている。
【００１８】
ラッチングソレノイド７の進退ロッド７１にはＬ字状の作動部材８の一端が回動自在に連結されている。作動部材８の屈曲部分は保管庫本体２１の内壁面に枢軸８２を介して枢着され、作動部材８の他端の側面には係合ピン８１が立設されている。該係合ピン８１は垂直杆４に開口された上下に長い第２係合窓４３に係合されている。
【００１９】
第１係合窓４２は操作杆５が下位置（ロック位置）にあるとき垂直杆４が上下にロック・アンロック動作し得るようにその上下幅が設定されている。一方、第２係合窓４３は作動部材８の一端が下位置（ロック位置）にあるとき垂直杆４が上下にロック・アンロック動作し得るようにその上下幅が設定されている。
【００２０】
以上のように構成された保管庫２の抽斗ロック装置は、ラッチングソレノイド７により施錠された図７の状態において、シリンダ錠６により強制解錠する場合には、図８に示されるようにクランク杆６１により操作杆５が押し上げられ、垂直杆４がアンロックされる。このとき、垂直杆４の移動量は第２係合窓４３の上下寸法より小さいので作動部材８の係合ピン８１は垂直杆４の第２係合窓４３に当接されない。また、図８の状態においてシリンダ錠により強制施錠する場合には、図９に示されるようにクランク杆６１により操作杆５が押し下げられ、垂直杆４がロックされる。このとき、垂直杆４の第２係合窓４３は作動部材８の係合ピン８１に係合しない。
【００２１】
さらに、保管庫２の抽斗ロック装置がラッチングソレノイド７により図１０に示されるようにアンロックされ、且つ、シリンダ錠６によって操作杆５がロック状態に操作されているときに、シリンダ錠６により強制施錠するには、先ず、図１１に示されるようにキー操作によりシリンダ錠６をアンロックして操作杆５をアンロック位置に上昇させ、垂直杆４を操作杆５によってアンロック位置に保持する状態とする。次に、最上段の抽斗２２を引き出して、手指を保管庫本体２１内に挿入し、作動部材８の操作片８５を図１２に示されるように押し下げて、ラッチングソレノイド７を係止機構７３の係止力に抗してロック状態にする。係止機構７３はロック状態で再度係止力を発生し、ラッチングソレノイド７を所定の係止力によりロック状態に保持する。このとき垂直杆４は、図１２中の二点鎖線で示されるように、操作杆５によってアンロック位置に保持されているので、抽斗２２を支障なく保管庫本体２１に収納することできる。最後に、シリンダ錠６をキー操作して操作杆５を図１２中に実線で示されるようにロック位置に移動させ、垂直杆４を図１２中の実線で示されるようにロックさせることにより抽斗２２〜２４の施錠を完了できる。
【００２６】なお、前記ラッチングソレノイド７の係止機構７３は上述にのみ限定されるものではなく、永久磁石７４によらず、バネや他の弾性部品を利用した係脱機構を備えたもの等であっても同等である。
【００２２】
以下は参考例である。図１に示される保管庫群は、一つの制御装置１により、全ての保管庫の施解錠制御を可能に構成されている。図１および図１３〜図２０中に示される耐火保管庫２ａは壁面中に耐火コンクリートを内在する保管庫本体２１と、該保管庫本体２１の前面開口に出入自在に上下に３段の抽斗２２，２３，２４が収納されている。抽斗２２，〜２４の各前面板にも耐火コンクリートＣが内在されており、各抽斗２２，〜２４の正面視右側の外側面にはストッパ３が一体に設けられている。
【００２３】
保管庫本体２１に収納された抽斗のストッパ３に対応される保管庫本体２１の内側面には垂直杆４が上下動可能に縦設され、該垂直杆４には垂直杆４が降下してロック位置にあるときに保管庫本体２１に対して収納された抽斗２２，〜２４のストッパ３を係止する係止突部４１が設けられている。係止突部４１は垂直杆４が上昇されアンロック位置にあるときにはストッパ３から離脱されるように形成されている。
【００２４】
垂直杆４の上端部近傍の保管庫本体２１の内側面にはラッチングソレノイド７が固着されており、ラッチングソレノイド７の進退ロッド７１が垂直杆４の上端に連結されている。ラッチングソレノイド７は係止機構を内蔵しておりロック・アンロック操作時のみ駆動力を発生し操作後は進退ロッド７１を所定の係止力により進退ロッド７１の突出位置と後退位置とに係止するように構成され、垂直杆４をロック位置とアンロック位置とに係止するように構成されている。
【００２５】
最上段の抽斗２２の前面板の正面視右側にはシリンダ錠６が貫通状に設けられ、垂直杆４の近傍まで延長されたシリンダ錠６の後端部には作動部材としてのカム８が設けられている。カム８は上下一対の係合爪８３，８４が突設されている。垂直杆４の係合爪８３，８４の間に対応される側壁面には突起４４が形成されており、カム８の回動により係合爪８３，８４が突起４４を上下動させ垂直杆４をロック・アンロックできるように構成されている。
【００２６】
以上のように構成された耐火保管庫２ａの抽斗ロック装置は、ラッチングソレノイド７により施錠された図１６の状態において、シリンダ錠６をキー操作して強制的に解錠する場合には、図１７に示されるようにカム８の下側の係合爪８４によって垂直杆４の突起４４を上方に移動して垂直杆４を図１８に示されるようにアンロックする。このときラッチングソレノイド７の進退ロッド７１は係止機構に抗して押し上げられ、進退ロッド７１は係止機構によりアンロック位置に係止される。シリンダ錠６の操作を終了して、キーを抜き取り位置に戻すと、カム８は図１９に示されるように中立位置に戻る。
【００２７】
さらに、図１９の解錠状態にある抽斗ロック装置をシリンダ錠６により強制的に施錠する場合には、キー操作によりシリンダ錠６を操作してカム８の上側の係合爪８３によって図２０に示されるように垂直杆４の突起４４を下方に移動して垂直杆４をロックする。この場合もラッチングソレノイド７の進退ロッド７１は係止機構に抗して押し下げられ、進退ロッド７１は係止機構によりロック位置に係止される。シリンダ錠６の操作を終了して、キーを抜き取り位置に戻すと、カム８は図１６に示されるように中立位置に戻る。
【００２８】
【発明の効果】
以上の説明から明らかなように、本発明によれば、ソレノイドによる施解錠状態の時又はソレノイドが停電等により動作不可能な時にシリンダ錠にて容易に抽斗の施解錠を行うことができるとともに、ソレノイドの交換やメンテナンス等の作業を容易に行うことができる保管庫の抽斗ロック装置を提供することができる。
【図面の簡単な説明】
【図１】  一括して施解錠の管理が可能な保管庫群の斜視図である。
【図２】  実施例の要部の側断面図である。
【図３】  図２の要部の平断面図である。
【図４】  抽斗の斜視図である。
【図５】  抽斗ロック装置の一部の構成を破断面を有して示す斜視図である。
【図６】  シリンダ錠の配置状態を示す要部の側断面図である。
【図７】  施錠状態を示す要部の側断面図である。
【図８】  シリンダ錠による強制解錠の状態を示す要部の側断面図である。
【図９】  シリンダ錠による強制施錠の状態を示す要部の側断面図である。
【図１０】  解錠状態を示す要部の側断面図である。
【図１１】  シリンダ錠を一旦解錠状態にセットする過程を示す要部の側断面図である。
【図１２】  操作片によりソレノイドを操作する状態を示す要部の側断面図である。
【図１３】  一部に破断面を有した参考例の耐火保管庫を示す斜視図である。
【図１４】  図１３中の最上段の抽斗を示す斜視図である。
【図１５】  抽斗ロック装置の斜視図である。
【図１６】  抽斗ロック装置の施錠状態の正面図である。
【図１７】  抽斗ロック装置を強制解錠する状態を示す正面図である。
【図１８】  抽斗ロック装置を強制解錠した状態を示す正面図である。
【図１９】  抽斗ロック装置の解錠状態を示す正面図である。
【図２０】  抽斗ロック装置を強制施錠する状態を示す正面図である。
【符号の説明】
１        制御装置
１１        液晶ディスプレー
２        保管庫
２１        保管庫本体
２１ａ      前側補強部材
２２，２３，２４        抽斗
３        ストッパ
４        垂直杆
４１        係止突部
４２        第１係合窓
４３        第２係合窓
４４        突起
５          操作杆
５１        操作片
５２        係合片
５３        操作口
６        シリンダ錠
６１        クランク杆
７        ラッチングソレノイド
７１        進退ロッド
７２        駆動用コイル
７３        係止機構
７３ａ      永久磁石
７３ｂ      磁性フランジ
８        作動部材
８１        係合ピン
８２        枢軸
８３，８４    係合爪
８５        操作片
Ｃ        耐火コンクリート
【図１】
0003966428.tif 000002
【図２】
0003966428.tif 000003
【図３】
0003966428.tif 000004
【図４】
0003966428.tif 000005
【図５】
0003966428.tif 000006
【図６】
0003966428.tif 000007
【図７】
0003966428.tif 000008
【図８】
0003966428.tif 000009
【図９】
0003966428.tif 000010
【図１０】
0003966428.tif 000011
【図１１】
0003966428.tif 000012
【図１２】
0003966428.tif 000013
【図１３】
0003966428.tif 000014
【図１４】
0003966428.tif 000015
【図１５】
0003966428.tif 000016
【図１６】
0003966428.tif 000017
【図１７】
0003966428.tif 000018
【図１８】
0003966428.tif 000019
【図１９】
0003966428.tif 000020
【図２０】
0003966428.tif 000021